(57)【要約】【課題】  着磁された永久磁石を含む梱包目的物の梱包において、重量負担がなく、必要な箇所の漏洩磁界を軽減させて保管できる梱包体および梱包方法を提供する。【解決手段】  着磁された永久磁石を含む梱包目的物２と、該梱包目的物を梱包するための梱包容器１と、該梱包容器内、該梱包容器中または該梱包容器の内壁上に配置された複数の着磁された梱包用磁石３であって、該梱包用磁石が配置された場所における該梱包目的物が形成する磁界と逆向きの磁化方向を有するように配置された梱包用磁石とを含む永久磁石梱包体を提供する。【選択図】      図１
2005335723.tif 000002
【特許請求の範囲】
【請求項１】
着磁された永久磁石を含む梱包目的物と、
該梱包目的物を梱包するための梱包容器と、
該梱包容器内、該梱包容器中または該梱包容器の内壁上に配置された複数の着磁された梱包用磁石であって、該梱包用磁石が配置された場所における該梱包目的物が形成する磁界と逆向きの磁化方向を有するように配置された梱包用磁石と
を含む永久磁石梱包体。
【請求項２】
前記梱包用磁石の各々が、前記梱包容器の外壁上において前記永久磁石が形成する磁界の大きさが極値を示す場所、または、該極値を示す場所と前記梱包目的物との間に配置された請求項１に記載の梱包体。
【請求項３】
前記複数の梱包用磁石が、前記梱包目的物を挟むように配置された請求項１または２に記載の梱包体。
【請求項４】
前記梱包目的物が、着磁された永久磁石、または着磁された永久磁石を含む磁気回路である請求項１〜３のいずれかに記載の梱包体。
【請求項５】
着磁された永久磁石を含む梱包目的物の梱包方法であって、
該梱包目的物を梱包容器内に配置し、複数の着磁された梱包用磁石を梱包容器内、梱包容器中または梱包容器の内壁上に配置するステップであって、該梱包用磁石の各々が、該梱包用磁石が配置された場所における該梱包目的物が形成する磁界と逆向きの磁化方向を有するように配置されるステップと
を含む梱包方法。
【発明の詳細な説明】
【技術分野】
【０００１】
本発明は、永久磁石梱包体および梱包方法に関するものである。
【背景技術】
【０００２】
近年、ＮｄＦｅＢ系希土類磁石に代表される強力な永久磁石が開発されている。これらの磁石は、コンピューターの部品であるハードディスクドライブのヘッド駆動装置に利用されたり、医療診断装置であるＭＲＩに利用されるなど、産業上の利用分野が拡大している。それに従い、着磁された永久磁石や永久磁石を組み込んだ磁気回路等を永久磁石メーカーから装置メーカーやユーザーへ送る流通量も拡大している。
【０００３】
一方、情報化社会の発展により、多くの情報が磁気記録媒体に書き込まれている。例えば、フレキシブルディスクはもとより、クレジットカードなど通常身に付けているものにも磁気記録の技術が使用されている。これらは、外部からの磁界の影響に弱いという欠点がある。また、一般の人が身につける時計や携帯電話に対しても外部の磁界の影響は好ましいものでは無い。
【０００４】
着磁された永久磁石および永久磁石を組み込んだ磁気回路（装置）等の着磁された永久磁石を含む梱包目的物は、常に磁界を発生させている。そのため、梱包された当該梱包目的物からの漏洩磁界により、磁気記録媒体が破壊されたり電子機器類が破壊される問題があった。
【特許文献１】特開２００１−１０６７１号公報
【発明の開示】
【発明が解決しようとする課題】
【０００５】
従来は、漏洩磁界を低減するために、梱包容器の内側に鉄板を貼り付けることがなされてきた。鉄板による漏洩磁界対策は、磁石からの磁束を鉄板内に導き、その中を通すことで、外部に出る磁束を減らそうとするものである。このため、鉄板は磁石を囲む形で配置されることが望ましいが、そのため梱包体が重くなるという問題点があった。
【０００６】
また、漏洩磁界は梱包内の磁石または磁気回路の配置により方向性を持つ。言い換えると漏洩磁界の高いところと低いところがある。しかしながら、鉄板による漏洩磁界対策では全体を覆う必要があり、特に漏洩磁界の高いところのみ磁界を低くするということが難しい。言い換えると方向性が無いため全体を包む鉄板量を増やす以外方法は無かった。
【０００７】
本発明は、着磁された永久磁石を含む梱包目的物の梱包において、重量負担がなく、必要な箇所の漏洩磁界を軽減させることができ、長時間保磁力など低下させないで保管できる梱包体および梱包方法を提供する。
【０００８】
なお、特許文献１には、容器壁に磁石を配設した包装容器が開示されている。しかしながら、当該技術は、緩衝材を使用することなく内容物を衝撃から保護することを目的とするものであり、着磁された永久磁石を含む梱包目的物を梱包するための技術ではない。
【課題を解決するための手段】
【０００９】
本発明の１の側面によると、着磁された永久磁石を含む梱包目的物と、該梱包目的物を梱包するための梱包容器と、該梱包容器内、該梱包容器中または該梱包容器の内壁上に配置された複数の着磁された梱包用磁石であって、該梱包用磁石が配置された場所における該梱包目的物が形成する磁界と逆向きの磁化方向を有するように配置された梱包用磁石とを含む永久磁石梱包体が提供される。
【００１０】
本発明の他の側面によると、着磁された永久磁石を含む梱包目的物の梱包方法であって、該梱包目的物を梱包容器内に配置し、複数の着磁された梱包用磁石を梱包容器内、梱包容器中または梱包容器の内壁上に配置するステップであって、該梱包用磁石の各々が、該梱包用磁石が配置された場所における該梱包目的物が形成する磁界と逆向きの磁化方向を有するように配置されるステップとを含む梱包方法が提供される。
【発明の効果】
【００１１】
以下に詳細に説明するように、本発明によると、着磁された永久磁石を含む梱包目的物の梱包において、重量負担がなく、必要な箇所の漏洩磁界を軽減させることができる。
【発明を実施するための最良の形態】
【００１２】
以下に、本発明の実施の形態を、添付図面を参照しながら説明する。もっとも、以下に説明する実施の形態は本発明を限定するものではない。
【００１３】
上記したように、本発明の１の側面によると、着磁された永久磁石を含む梱包目的物の梱包方法であって、梱包目的物を梱包容器内に配置し、複数の着磁された梱包用磁石を梱包容器内、梱包容器中または梱包容器の内壁上に配置するステップであって、梱包用磁石の各々が、梱包用磁石が配置された場所における梱包目的物が形成する磁界と逆向きの磁化方向を有するように配置されるステップとを含む梱包方法が提供される。
【００１４】
漏洩磁界は、着磁された磁石が発生する磁界そのものであり、磁石を利用する装置は、着磁された磁石が発生する磁界を利用する装置である。本来、利用する領域のみに磁界があれば良いのであるが、一般に必要以外の領域にも磁界が及んでいる。これが、漏洩磁界と呼ばれている。梱包時は、梱包容器外にて観測される磁界が漏洩磁界として問題視されることになる。
【００１５】
磁石の発生する磁界であるから、当然Ｎ極とＳ極を持ち磁界には方向性があることになる。複数の磁石がある場合、空気中での漏洩磁界はそれぞれの磁石からの漏洩磁界の重ね合わせとなるため、本発明は、梱包目的物が有する永久磁石（以下、主磁石とも記す）の漏洩磁界を、それとは逆向きの磁化方向を持つ２つ以上の磁石からの漏洩磁界により打ち消すように梱包するものである。よって、打ち消したい漏洩磁界の方向と位置に合わせて、梱包用磁石を、主磁石から特定の距離の場所に、漏洩磁界とは逆向きの磁化方向を有するように配置することにより、局所的かつ効果的に漏洩磁界を低減することが可能となる。また、以下に詳細に説明するように、梱包用磁石は、容器の漏洩磁界を低減したい箇所に近づけて配置できるため、用いる梱包用磁石は、最小限の重量で良く、梱包すべき主磁石よりも小さい磁石または同等の特性を有する磁石もしくは弱い特性の磁石を使用可能である。
【００１６】
ここで、着磁された永久磁石を含む梱包目的物は、特に限定されるものでなく、１つまたは複数の着磁された永久磁石を含み、運搬、保管等の目的で梱包される任意の梱包目的物を含む。より具体的には、当該梱包目的物が、着磁された永久磁石、または着磁された永久磁石を含む磁気回路であることが好ましい。特に限定されるものではないが、着磁された永久磁石を含む磁気回路は、１つまたは複数の磁石を鉄や他の材料からなる枠や軸に組み付けて所望の磁界を発生させるものであり、具体的にはステーターと組み合わせられる前のモーターのローター部分などを含む。なお、当該永久磁石の種類、エネルギー積、形状、大きさおよび数、ならびに当該梱包目的物の形状および大きさは、特に限定されるものではなく、本発明は、任意の永久磁石および梱包目的物に適用することができる。本発明は、特に、漏洩磁界が大きい梱包目的物に適用することが好ましく、具体的には、梱包目的物の中心（重心）からいずれかの方向に５００ｍｍ離れた位置における漏洩磁界が、好ましくは４００Ａ／ｍ以上である梱包目的物に適用することが好ましい。その理由として、磁石を積載したトラック等の近くをペースメーカー等を装着した人などが通った場合など、漏洩磁界の電子機器への影響が懸念される状況がありうるが、一般に電子機器への影響が懸念される磁界の強度の目安が４００Ａ／ｍであり、トラックやコンテナへの搭載時に５００ｍｍ以上離れた位置であれば車外の電子機器への影響が小さいと考えられる。
【００１７】
また、梱包目的物を梱包するための梱包容器は、特に限定されるものでなく、従来から用いられている任意の梱包容器を用いることができる。具体的には、特に限定されるものではないが、本発明に用いられる梱包容器としては、木材、ダンボール、プラスチックといった非磁性体のものがあげられる。梱包容器の大きさ、厚さ、形状等は、輸送、保管性の点から適宜最適なものを選択するとよい。特に、梱包容器の大きさは、梱包目的物を梱包容器内に、梱包用磁石を梱包容器内、梱包容器中または梱包容器の内壁上に配置した際に、以下に詳細に説明するように、梱包目的物と梱包用磁石との間の距離が、好ましくは２０ｍｍ以上、さらに好ましくは１００ｍｍ以上となるように、梱包目的物と梱包用磁石とを配置することができる大きさであることが好ましい。
【００１８】
梱包用磁石の種類は、基本的に主磁石および梱包用磁石それぞれの漏洩磁界により減磁しなければどのような永久磁石でも組み合わせ可能で、希土類、アルニコ、フェライト系等を用いることができる。特に、ＮｄＦｅＢ系の希土類永久磁石は、エネルギー積が高く単位重量あたりの磁束発生量が高いため、梱包重量を軽減できて好ましい。また、複数の梱包用磁石は、同一の磁石とすることが好ましい。ただし、輸送、保管中の温度変化を考慮する必要がある場合、主磁石と同一または道徳性の磁石を使用することが望ましい。ここで道徳性というのは、残留磁束密度および保磁力の温度係数が同等であることを意味する。この温度特性があまり異なる磁石を組み合わせると、温度上昇などの変化が生じた場合、一方の磁界のみ減少してしまい打ち消し効果が得られなくなってしまう可能性がある。例えば、Ｎｄ系磁石では残留磁束密度の温度係数は−０．１％／Ｋ程度であるが、Ｓｍ系磁石では−０．０３％／Ｋである。よって主磁石をＳｍ磁石とし梱包用磁石をＮｄ磁石とした場合、温度上昇によりＮｄ磁石からの磁界が減少してしまい漏洩磁界が大きく観測されてしまう場合がある。もちろん梱包、輸送中に温度管理がなされている場合には、先に述べたようにどのような永久磁石でも組み合わせ可能である。
【００１９】
ここで、梱包用磁石の各々は、梱包用磁石が配置された場所における梱包目的物が形成する磁界と逆向きの磁化方向を有するように配置される。また、梱包用磁石の各々が、梱包容器の外壁上において永久磁石が形成する磁界（すなわち、漏洩磁界）の大きさが極値を示す場所、または、該極値を示す場所と梱包目的物との間に配置されることが好ましい。本発明にかかる梱包用磁石の配置方法の具体例を、以下に説明する。すなわち、まず、主磁石を含む目的となる梱包目的物を梱包容器内に配置し、主磁石の漏洩磁界を梱包容器の外壁上またはその近傍で測定する。そして、梱包容器内、梱包容器中、または梱包容器の内壁上であって、最も大きな漏洩磁界が観測された場所と梱包目的物との間の場所に、漏洩磁界とは逆向きの磁化方向を有する梱包用磁石を配置することが好ましい。なお、本発明の目的の基で、主磁石の漏洩磁界を梱包容器の外壁上の近傍で測定した際に、梱包容器の外壁上であって、最も大きな漏洩磁界が観測された場所と梱包目的物との間の場所は、梱包容器の外壁上において永久磁石が形成する磁界の大きさが最大値を示す場所と、実質的に一致すると考えられる。
【００２０】
ここで、本発明は、２つ以上の梱包用磁石を用いることが好ましい。１つの梱包用磁石だけでは、漏洩磁界の打ち消しが不十分で、また、容器全体における漏洩磁界の低減ができない場合があるためである。すなわち、最も大きな漏洩磁界が測定された場所に加えて、漏洩磁界の大きさが極値を示す場所に、梱包用磁石を配置することができる。なお、極値を示す場所が複数ある場合にあっては、漏洩磁界がより大きい場所に、優先的に梱包用磁石を配置することが好ましい。また、それぞれの場所に、１つまたは複数の梱包用磁石を配置することができる。１つの場所に複数の梱包用磁石を配置することにより、漏洩磁界の大きさを微調整することが可能である。
【００２１】
なお、梱包用磁石は主磁石から、好ましくは２０ｍｍ以上、さらに好ましくは１００ｍｍ以上離して固定するとよい。さらに、梱包用磁石は、梱包容器の内壁に接するように配置すると、安定して梱包、搬送することが可能である。梱包用磁石が主磁石にあまり近いと、主磁石と梱包用磁石との磁界同士の反発力により、梱包目的物の安定した固定が困難になる場合があるためである。
【００２２】
梱包用磁石の大きさは、低減すべき漏洩磁界の大きさ、すなわち目的となる主磁石の形成する漏洩磁界の大きさ、および低減の目標となる漏洩磁界の大きさに応じて適宜選択される。例えば、梱包用磁石が主磁石と同じ材質であれば、一般に、大きくとも主磁石の１／４以下の大きさの梱包用磁石を選択することが好ましく、主磁石に対し体積比で１／１０〜１／２０の大きさの梱包用磁石を選択することがさらに好ましい。その理由は、梱包用磁石が小さいほうが微調整をしやすいためである。さらに、梱包用磁石があまり大きいとそれによる磁界と主磁石の吸引力が無視できなくなり、主磁石の取り出しが困難になる可能性があるためである。また、梱包用磁石が主磁石と異なる材質であれば、梱包用磁石が発生するＦｌｕｘ量で評価し、そのＦｌｕｘ量が主磁石のＦｌｕｘに対する比で１／４から１／２０とすることが好ましい。その理由は、やはり小さいほうが微調整がしやすいためである。Ｆｌｕｘ量の評価については、磁界解析を用いてもよいし、市販のフラックスメーターとコイルを使用することもできる。なお、上記したように、本発明にあっては、梱包用磁石は、容器の漏洩磁界を低減したい箇所に近づけて配置できるため、目標となる大きさまで漏洩磁界を低減するために用いられる梱包用磁石は、最小限の重量でよい。なお、梱包用磁石の形状は、特に限定されるものではなく、任意の形状のものを用いることができる。
【００２３】
なお、梱包用磁石が、梱包目的物（すなわち、主磁石）を挟むように配置されることが好ましい。漏洩磁界は主磁石のＮ極から発生してＳ極に戻る。一般に磁石のＮ極とＳ極は対称に配置されることから、複数（好ましくは、偶数個）の梱包用磁石を、主磁石を挟むように配置することが好ましく、複数の梱包用磁石の磁化方向が同じになるように配置することが好ましい。ここで、主磁石を挟むように梱包用磁石を配置するとは、空間を隔てて主磁石を挟むように配置することを含み、当該梱包用磁石を結ぶ線上に主磁石が配置されることをいう。
【００２４】
ここで、梱包用磁石の固定方法は、特に限定されるものではなく、任意の方法を用いることができる。具体的には、梱包用磁石は、梱包容器の内壁等に、接着剤またはネジ止めにより固定することが可能である。また、梱包用磁石は、梱包容器の壁の内部に埋め込むこともできる。また、後述するように、梱包目的物と梱包容器との間に発泡樹脂等の梱包材を詰める場合にあっては、当該梱包材に梱包用磁石を入れるための開口部を設け、梱包用磁石をその開口部に挿入することで、梱包用磁石を固定することも可能である。
【００２５】
なお、本発明は、従来の鉄板等の磁性体を梱包容器の側面または内面等に用いる漏洩磁界対策と組み合わせて使用することも可能である。また、梱包する際に、梱包目的物が動かないように発泡スチロールやウレタンフォーム等の発泡樹脂等からなる梱包材を、梱包目的物と梱包容器との間に設けることができ、これにより、梱包目的物を安定させることが好ましい。
【実施例】
【００２６】
以下に、本発明の実施例を、添付図面を参照しながら説明する。もっとも、以下に説明する実施例は本発明を限定するものではない。
【００２７】
着磁されたＮｄＦｅＢ系希土類磁石であって、寸法が１００×１００×８０ｍｍであり、８０ｍｍの辺の方向に磁化され、エネルギー積が３４０ｋＪ／ｍ３である永久磁石を主磁石として用いた。当該磁石を４００ｍｍ角の木箱容器の中央に入れて梱包した。特に漏洩磁界対策を行なわない場合、主磁石の中心から当該磁石の磁化方向に５００ｍｍ離れた場所において、漏洩磁界の大きさは６９３Ａ／ｍであった（比較例）。しかしながら、電子機器等への影響を考慮すると、漏洩磁界の大きさは４００Ａ／ｍ以下としたい。
【００２８】
図１に、本実施例にかかる永久磁石梱包体の模式的な平面図を示す。実施例として、梱包容器１の内壁であって、主磁石２の磁極に対向する面の各々に、着磁されたＮｄＦｅＢ磁石であって、寸法が４０×４０×１０ｍｍであり、１０ｍｍの辺の方向に磁化され、エネルギー積が３００ｋＪ／ｍ３である永久磁石を梱包用磁石３として、３個ずつ計６個、主磁石に関して対称的に、容器の内壁に貼り付けるように配置した。図中、各磁石の磁化方向を矢印で示す。比較例と同様に測定したところ、５００ｍｍ離れた測定位置Ａでの漏洩磁界の大きさは、３７０Ａ／ｍまで低減できた。このように、本発明によると、重量を大きく増加させることなしに、漏洩磁界を大幅に低減することができる。
【図面の簡単な説明】
【００２９】
【図１】本実施例にかかる永久磁石梱包体の模式的な平面図を示す。
【符号の説明】
【００３０】
１：梱包容器
２：主磁石
３：梱包用磁石
【図１】
2005335723.tif 000003